(57)【要約】【課題】  照射される光の違いによって生じる標示の視認性の悪化が抑制され得る標識板を提供することを目的とする。【解決手段】  本発明の標識板１は、開口の形状が文字または図形とされる貫通孔１０Ｈを有する基板１０と、貫通孔１０Ｈ内に配置される再帰反射部材２０と、を備え、再帰反射部材２０は、基板１０の背面側から照射される光を透過し、表面側から照射される光を再帰反射する複数の再帰反射素子２１を有することを特徴とする。【選択図】    図２
2018104920.tif 000002
【特許請求の範囲】
【請求項１】
開口の形状が文字または図形とされる貫通孔を有する基板と、
前記貫通孔内に配置される再帰反射部材と、
を備え、
前記再帰反射部材は、前記基板の背面側から照射される光を透過し、表面側から照射される光を再帰反射する複数の再帰反射素子を有する
ことを特徴とする標識板。
【請求項２】
前記再帰反射部材のうち前記基板の表面側の面が平坦である
ことを特徴とする請求項１に記載の標識板。
【請求項３】
前記基板の表面が前記開口を覆う保護層で被覆される
ことを特徴とする請求項１または２に記載の標識板。
【請求項４】
前記基板の表面側において、前記開口の縁と前記縁を囲う部位との色が異なる
ことを特徴とする請求項１から３のいずれか１項に記載の標識板。
【発明の詳細な説明】
【技術分野】
【０００１】
本発明は、照射される光の違いによって生じる標示の視認性の悪化が抑制され得る標識板に関する。
【背景技術】
【０００２】
道路標識などの屋外で使用される標識板は、朝方や夕方に太陽光が逆光線として背面側から照射される場合がある。標識板の背面側から逆光線が照射されると、当該標識板の表面は暗くなり、標識板の表面に記された文字や図形からなる標示の判読が困難となる場合がある。このような逆光線による標示の視認性低下を抑制し得る標識板が下記特許文献１に開示されている。
【０００３】
下記特許文献１には、文字又は図形が記された部分に多数のスリットが形成された逆光対策標識板が開示されている。この特許文献１に開示されている標識板では、逆光線が多数のスリットを通ることにより、背面側から逆光線が照射される場合でも多数のスリットの周囲が明るく見えることで表面に記された標示の視認性が低下することが抑止され得る。
【先行技術文献】
【特許文献】
【０００４】
【特許文献１】特開２００３−２６１９１３号公報
【発明の概要】
【発明が解決しようとする課題】
【０００５】
しかし、上記特許文献１に開示されている標識板では、表面側から照射される光も上記スリットを通り抜ける。したがって、例えば夜間にヘッドライトが表面側から照射された場合、標識板のスリットに到達した光は当該スリットを通り抜ける。このように表面側から照射された光が通り抜ける部位では、表面に記された標示を視認し難くなる。このように、特許文献１に開示されている標識板では、照射される光の違いによって標示の視認性に差異が生じる場合がある。
【０００６】
そこで、本発明は、照射される光の違いによって生じる標示の視認性の悪化が抑制され得る標識板を提供することを目的とする。
【課題を解決するための手段】
【０００７】
上記課題を解決するため、本発明の標識板は、開口の形状が文字または図形とされる貫通孔を有する基板と、前記貫通孔内に配置される再帰反射部材と、を備え、前記再帰反射部材は、前記基板の背面側から照射される光を透過し、表面側から照射される光を再帰反射する複数の再帰反射素子を有することを特徴とする。
【０００８】
上記標識板では、昼間に太陽光等が順光線として照射される場合、再帰反射部材が備えられる部位を標示として視認することができる。また、夜間にヘッドライト等の光が標識板の表面に照射される場合は、再帰反射部材が当該光を再帰反射することによって、再帰反射部材が備えられる部位を標示として視認することができる。さらに、太陽光等が逆光線として基板の背面側から照射される場合、当該光が基板に形成された貫通孔を通って当該貫通孔内に配置された再帰反射部材を透過することにより、標示を視認することができる。このように、上記標識板では、どのような方向から光が照射される場合であっても標示が視認され易く、照射される光の違いによって生じる標示の視認性の悪化が抑制され得る。
【０００９】
なお、本発明において光が透過するとは、入射した光が１０％以上１００％以下の割合で透過することを意味する。
【００１０】
また、上記標識板において、前記再帰反射部材のうち前記基板の表面側の面が平坦であることが好ましい。
【００１１】
再帰反射部材のうち基板の表面側の面が平坦であることによって、標識板の表面を平坦に形成し易くなる。標識板の表面が平坦に形成されることによって、標識板の表面に汚れが付着することを抑制し得る。
【００１２】
また、前記基板の表面が前記開口を覆う保護層で被覆されることが好ましい。
【００１３】
基板に形成された貫通孔の開口を覆う保護層が設けられることによって、再帰反射部材を当該貫通孔内に固定し易くなる。
【００１４】
また、前記基板の表面側において、前記開口の縁と前記縁を囲う部位との色が異なることが好ましい。
【００１５】
基板に形成される貫通孔の開口の縁が当該縁を囲う部位とは異なる色で着色されることによって、当該開口及び当該開口の縁を含む部位が標示として視認され易くなる。例えば、昼間に太陽光等が順光線として照射される場合、貫通孔に配置される再帰反射部材及び当該貫通孔の開口の縁が標示として視認され得る。また、太陽光等が逆光線として基板の背面側から照射される場合、当該光が基板に形成された貫通孔を通って当該貫通孔内に配置された再帰反射部材を透過することにより、標示を視認することができる。このとき、貫通孔を通り抜ける光は基板の表面側で回折するため、標識板を表面側から見たときに基板に設けられた貫通孔の開口より少し広い範囲が明るく見える。このように、上記標識板では、順光線が照射される場合でも逆光線が照射される場合でも開口及び当該開口の縁によって標示が視認され得る。
【発明の効果】
【００１６】
以上のように、本発明によれば、照射される光の違いによって生じる標示の視認性の悪化が抑制され得る標識板が提供される。
【図面の簡単な説明】
【００１７】
【図１】本発明の第１実施形態に係る標識板を表面側から見る平面図である。
【図２】図１に示す標識板のＩＩ−ＩＩ線に沿った断面図である。
【図３】本発明の第２実施形態に係る標識板を図２と同様の視点で示す断面図である。
【発明を実施するための形態】
【００１８】
以下、本発明に係る標識板を実施するための形態が添付図面とともに例示される。以下に例示する実施形態は、本発明の理解を容易にするためのものであり、本発明を限定して解釈するためのものではない。本発明は、その趣旨を逸脱することなく、以下の実施形態から変更、改良することができる。
【００１９】
（第１実施形態）
図１は、本発明の第１実施形態に係る標識板を表面側から見る平面図である。図２は、図１に示す標識板のＩＩ−ＩＩ線に沿った断面図である。
【００２０】
図１及び図２に示すように、本実施形態の標識板１は、基板１０、再帰反射部材２０、表面保護層２４、背面保護層３０を有する。
【００２１】
再帰反射部材２０は、板状の保持体部２２と保持体部２２上に設けられる複数の再帰反射素子２１とを有する。複数の再帰反射素子２１は保持体部２２の背面側に形成され、保持体部２２の表面は図示していない粘着剤層を介して表面保護層２４に貼り付けられている。また、本実施形態の複数の再帰反射素子２１は、貫通孔１０Ｈ内において露出しており、空気と接している。この再帰反射部材２０は、複数の再帰反射素子２１と空気との界面において、保持体部２２側から入射した光を内部全反射させることで再帰反射させる。複数の再帰反射素子２１は、入射した光を再帰反射させるのに適した反射面を有している限り特に限定されるものではない。例えば、三角錐などの多面体が再帰反射素子２１とされて最密充填状に配置されることが好ましい。
【００２２】
このような再帰反射部材２０を構成する材料としては、光学的特性に優れたものがよい。例えば、ポリカーボネート系樹脂、塩化ビニル系樹脂、フッ化ビニリデン系樹脂、アクリル系樹脂、エポキシ系樹脂、スチレン系樹脂、ポリエステル系樹脂、フッ素系樹脂、ポリエチレン系樹脂、オレフィン系樹脂、セルロース系樹脂、ウレタン系樹脂などが挙げられる。特に、フッ化ビニリデン系樹脂、アクリル系樹脂が好ましい。
【００２３】
フッ化ビニリデン系樹脂としては、例えば、ポリフッ化ビニリデン、フッ化ビニリデン−テトラフルオロエチレン共重合体、フッ化ビニリデン−ヘキサフルオロプロピレン共重合体、フッ化ビニリデン−テトラフルオロエチレン−ヘキサフルオロプロピレン共重合体、フッ化ビニリデン−テトラフルオロエチレン−プロピレン共重合体、フッ化ビニリデン−テトラフルオロエチレン−パーフルオロ（メチルビニルエーテル）共重合体などが挙げられる。
【００２４】
アクリル系樹脂としては、例えば、ポリメタクリル酸メチル樹脂、ポリメタクリル酸エチル樹脂、ポリメタクリル酸プロピル、ポリメタクリル酸ブチル、ポリアクリル酸メチル、アクリル酸エチル、ポリアクリル酸プロピル、ポリアクリル酸ブチル、ポリアクリル酸２エチルヘキシルなどが挙げられる。
【００２５】
再帰反射部材２０の耐候性及び柔軟性を向上させる観点からは、再帰反射部材２０はフッ化ビニリデン系樹脂とアクリル系樹脂とを含有する樹脂組成物で構成されることが好ましい。耐候性に優れるフッ化ビニリデン系樹脂と柔軟性に優れるアクリル系樹脂とを含む樹脂組成物により再帰反射部材２０を形成することで、再帰反射部材２０に優れた耐候性及び柔軟性を備えさせ得る。なお、保持体部２２及び複数の再帰反射素子２１は、一体成型されても良く、別々に形成された後に一体化されても良い。
【００２６】
基板１０は、基板本体部１６及び基板本体部１６の表面に設けられる着色層１４を有する。また、基板１０は、開口の形状が文字または図形とされる貫通孔１０Ｈを有する。貫通孔１０Ｈは、基板本体部１６及び着色層１４を貫通している。本実施形態の基板１０は、図１に示すように開口の形状が矢印とされる貫通孔１０Ｈを有する。
【００２７】
基板本体部１６は、板状の部位であり、例えばアルミニウム等の金属や樹脂等からなる。基板本体部１６によって、基板１０の剛性が確保される。基板本体部１６は、一枚の板状体で構成されても良く、複数の板状体を繋げて構成されても良い。
【００２８】
本実施形態の着色層１４は、標識板１の用途に応じた青色や緑色等の法令に則った色に着色されたり、再帰反射部材２０によって標示される文字や図形を見やすくするための地色として適切な色に着色されたりする層である。このような着色層１４を構成する材料としては、例えば、再帰反射部材２０を構成する樹脂と同様の樹脂に着色剤が混合されてなる樹脂組成物や塗料等が挙げられる。
【００２９】
表面保護層２４は、基板１０の最表面及び再帰反射部材２０を覆って保護する層である。本実施形態の表面保護層２４は、再帰反射部材２０の保持体部２２の表面を覆う。表面保護層２４は光を透過する材料で構成され、表面保護層２４を構成する材料としては、例えば、上記再帰反射部材２０と同様のものが挙げられる。
【００３０】
背面保護層３０は、基板１０の背面を保護する層である。背面保護層３０を構成する材料としては、例えば、上記表面保護層２４と同様のものが挙げられる。
【００３１】
次に、本実施形態の標識板１の作用及び効果について説明する。
【００３２】
本実施形態の標識板１では、昼間に太陽光等が順光線として照射される場合、再帰反射部材２０が備えられる部位を標示として視認することができる。このように再帰反射部材２０による標示を視認し易くする観点から、標示となる部位とその部位の周囲とで色または材質が異なることが好ましい。例えば、再帰反射部材２０と基板１０の表面のうち貫通孔１０Ｈの開口の縁とで色または材質が異なることが好ましい。
【００３３】
また、夜間にヘッドライト等の光が標識板１の表面に照射される場合は、再帰反射部材２０が当該光を再帰反射することによって、再帰反射部材２０が備えられる部位を標示として視認することができる。さらに、太陽光等が逆光線として基板１０の背面側から照射される場合、当該光が基板１０に形成された貫通孔１０Ｈを通って当該貫通孔１０Ｈ内に配置された再帰反射部材２０を透過することにより、標示を視認することができる。このように、標識板１では、どのような方向から光が照射される場合であっても標示が視認され易く、照射される光の違いによって生じる標示の視認性の悪化が抑制され得る。
【００３４】
また、再帰反射部材２０のうち基板１０の表面側の面が平坦であることによって、標識板１の表面を平坦に形成し易くなる。標識板１の表面が平坦に形成されることによって、標識板１の表面に汚れが付着することを抑制し得る。また、標識板１の表面が平坦に形成されることによって、貫通孔１０Ｈによる影で標示の視認性が低下することが抑制され得る。再帰反射部材２０が基板１０の背面側に貼り付けられる場合、表面側から光が差すときに貫通孔１０Ｈによる影が再帰反射部材２０に映るため、当該影によって標示の視認性が低下する場合がある。このような影は、標識板１の表面の法線に対する観察者の視線の角度が大きくなる程目立つと考えられる。よって、例えば、標識板１が道路標識である場合、標識板１に近づくほどに上記影が目立つと考えられる。本実施形態の標識板１では上記のように影ができることが抑制されることによって、標識板１が道路標識である場合に運転者は標識板１に対して遠い位置から近い位置までに長い区間において標示を視認し易くなる。
【００３５】
また、基板１０に形成された貫通孔１０Ｈの開口を覆う表面保護層２４が設けられることによって、再帰反射部材２０を当該貫通孔１０Ｈ内に固定し易くなる。
【００３６】
また、複数の再帰反射素子２１が貫通孔１０Ｈ内において露出していることにより、基板１０の背面側から照射される光が貫通孔１０Ｈを通って複数の再帰反射素子２１に到達し易くなる。また、複数の再帰反射素子２１が貫通孔１０Ｈ内において露出していることによって、複数の再帰反射素子２１の背面側の界面は空気と接し、当該界面での屈折率差が大きくされ易い。このため、複数の再帰反射素子２１は、基板１０の背面側から貫通孔１０Ｈを通って照射される光を透過し易くなると共に、表面側から照射される光を反射させ易くなる。
【００３７】
（第２実施形態）
次に、本発明の第２実施形態について図３を参照して詳細に説明する。なお、第１実施形態と同一又は同等の構成要素については、特に説明する場合を除き、同一の参照符号を付して重複する説明は省略する。
【００３８】
図３は、本発明の第２実施形態に係る標識板２を図２と同様の視点で示す断面図である。図３に示す標識板２は、着色層１４が第１着色層１４ａ及び第２着色層１４ｂを有する点で上記第１実施形態の標識板１と異なる。
【００３９】
第２着色層１４ｂは、上記第１実施形態の着色層１４と同様の着色層とされる。第１着色層１４ａは、貫通孔１０Ｈの表面側の開口の縁に形成され、第２着色層１４ｂとは異なる色に着色された着色層である。よって、本実施形態の標識板２では、基板１０の表面側において、貫通孔１０Ｈの開口の縁と当該縁を囲う部位との色が異なる。第１着色層１４ａの色は、表面から見た場合において再帰反射部材２０の色と同系色であることが好ましい。例えば、再帰反射部材２０が着色剤等を含まない透明な材料で構成される場合、再帰反射部材２０を透過する光及び再帰反射部材２０で反射される光は、ある程度散乱することによって白色のように見え易い。この場合、第１着色層１４ａは白色に着色されることが好ましい。また、再帰反射部材２０が着色剤等を含んで色を付けられている場合は、第１着色層１４ａは当該色と同じ色であることが好ましい。
【００４０】
上記のように基板１０に形成される貫通孔１０Ｈの開口の縁が当該縁を囲う部位とは異なる色で着色されることによって、当該開口及び当該開口の縁を含む部位が標示として視認され易くなる。例えば、昼間に太陽光等が順光線として照射される場合、貫通孔１０Ｈに配置される再帰反射部材２０及び当該貫通孔１０Ｈの開口の縁が標示として視認され得る。例えば、昼間に太陽光等が順光線として照射される場合において、貫通孔１０Ｈに配置される再帰反射部材２０が着色剤等を含まない場合、再帰反射部材２０を透過する光は白色のように見え易い。このとき、第１着色層１４ａが白色に着色されることによって、再帰反射部材２０及び第１着色層１４ａが一体となって見え易くなる。また、太陽光等が逆光線として基板１０の背面側から照射される場合、当該光が基板１０に形成された貫通孔１０Ｈを通って当該貫通孔１０Ｈ内に配置された再帰反射部材２０を透過することにより、標示を視認することができる。このとき、貫通孔１０Ｈを通り抜ける光は基板１０の表面側で回折するため、標識板２を表面側から見たときに基板１０に設けられた貫通孔１０Ｈの開口より少し広い範囲が明るく見える。このように、標識板２では、順光線が照射される場合でも逆光線が照射される場合でも貫通孔１０Ｈの開口及び当該開口の縁によって標示が視認され得る。
【００４１】
以上、本発明について、上記実施形態を例に説明したが、本発明はこれらに限定されるものではない。
【００４２】
例えば、上記実施形態では、基板１０の背面側から太陽光が照射される場合を例示して作用及び効果を説明したが、基板１０の背面側から照射される光は蛍光灯の光等の他の光でも同様の作用及び効果を奏する。したがって、本発明の標識板は、内照式標識板にも適用可能である。
【００４３】
また、着色層１４、表面保護層２４、背面保護層３０は必須の構成要素ではなく、適宜備えられるものである。また、再帰反射部材２０は白色などに着色されていても良く、再帰反射部材２０の表面に光を透過する着色層が設けられていても良い。
【産業上の利用可能性】
【００４４】
以上説明したように、本発明によれば、照射される光によって生じる標示の視認性の悪化が抑制され得る標識板が提供される。当該標識板は、道路標識等の分野において利用される。
【符号の説明】
【００４５】
１，２・・・標識板
１０・・・基板
１０Ｈ・・・貫通孔
１４・・・着色層
１４ａ・・・第１着色層
１４ｂ・・・第２着色層
１６・・・基板本体部
２０・・・再帰反射部材
２４・・・表面保護層
３０・・・背面保護層
【図１】
2018104920.tif 000003
【図２】
2018104920.tif 000004
【図３】
2018104920.tif 000005